(57)【要約】【課題】  継電器にかかる電圧測定に際して、聴覚での確認により人間の誤操作による事故を防止できる電圧計を提供する。【解決手段】  電圧計は、継電器にかかる電圧の極性を判定する極性判定回路５０と、その判定信号に応じて極性を報知する音声信号を生成する音信号生成回路７８と、その出力信号に応じた音声を出力するスピーカ１１とを備えた。【選択図】  図２
2007147425.tif 000002
【特許請求の範囲】
【請求項１】
継電器にかかる電圧を測定する電圧計であって、
前記電圧の極性を判定する極性判定手段と、前記極性判定手段からの判定信号に応じて極性を報知する音声出力手段とを備えたことを特徴とする電圧計。
【請求項２】
請求項１記載の電圧計において、前記極性判定手段からの判定信号に応じて発光する表示灯を備えたことを特徴とする電圧計。
【請求項３】
請求項１又は２記載の電圧計において、前記電圧の測定時に前記継電器の接点に接続する複数の接続端子のうち少なくとも一つが前記判定信号に応じて振動する振動体を備えたことを特徴とする電圧計。
【請求項４】
請求項１乃至３のいずれか記載の電圧計において、
前記電圧の測定時に前記継電器の接点に接続する複数の接続線の差込み端子を挿入する複数の差込穴を有し、各差込穴は対応する差込み端子のみ挿入可能な形状に形成されていることを特徴とする電圧計。
【発明の詳細な説明】
【技術分野】
【０００１】
本発明は、特定の電気機器（例えば、電力会社等の送電線路に設けた遮断器を作動させる継電器）にかかる電圧を測定するために用いられる電圧計に関する。
【背景技術】
【０００２】
送電線路において落雷等の事故や故障があると、事故箇所を健全な設備から切り離すために保護継電器が作動し、遮断信号を遮断器に送って送電線路を「切」状態とするので、送電線路からの電力供給が停止する。この保護継電器が正確に動作するためには、保護継電器を定期的に点検する必要がある。点検作業は保護継電器を不動作状態にして行われ、その後営業運転に戻す際、不動作状態になっている保護継電器を動作可能な状態に復旧する。復旧の際、保護継電器から遮断器へ遮断信号が流れていると、遮断器は再度遮断動作を行ってしまうので、作業者は継電器にかかる電圧が適正値であることを確認する必要がある。具体的には、継電器にかかっている電圧を電圧計で確認しなければならない。
【０００３】
通常、この確認作業は誤りを防ぐため二人で行うが、実際の作業は薄暗く狭い現場で行うことが多いので、一人でしか確認作業ができない場合もある。電圧計での確認は人間の目視による判断のため、電圧計の接続端子の極性（＋，−）を間違えて接続したり、或いは測定箇所の継電器端子とアース端子を間違えて測定する可能性がある。継電器にかかる電圧が適正値を超えている状態で、不動作状態になっている保護継電器を動作可能状態にすると、保護継電器が動作して遮断器を遮断し、大規模な停電が発生することもある。
【０００４】
下記の特許文献１には、誤配線等による事故を防止するための電圧計測器が掲載されている。これは、電圧検出部が鋭利な形状であり、被覆電線に突き刺すことでその先端が電線内の導電部に触れ、これにより、作業者が回路に触れることなく安全に電圧を計測できるものである。
【０００５】
【特許文献１】特開２００５−１３４２３３
【発明の開示】
【発明が解決しようとする課題】
【０００６】
しかしながら、上記電圧計測器では、電圧検出部を接続する電線の選択は作業者の判断に委ねられており、誤った接続をした場合にそれを知らせることは考えられていない。そのため、作業者が電圧計の極性の間違いに気付かないで作業してしまうことを防止するのが困難である。
【０００７】
本発明は、以上の状況に鑑みてなされたものであり、人間の誤操作による事故を防止できる電圧計を提供することを目的とする。
【課題を解決するための手段】
【０００８】
本発明は、継電器にかかる電圧を計測する電圧計であって、前記電圧の極性を判定する極性判定手段と、前記極性判定手段からの判定信号に応じて極性を報知する音声出力手段とを備えたことを特徴とする。ここで「音声」には人間の声のほか、ブザー等の音響も含む。
【０００９】
前記電圧計は、極性判定手段からの判定信号に応じて発光する表示灯を備えることが望ましい。また、電圧の測定時に前記継電器の接点に接続する複数の接続端子のうち少なくとも一つは前記判定信号に応じて振動する振動体を備えることが望ましい。
【００１０】
更に、前記電圧計は、電圧の測定時に前記継電器の接点に接続する複数の接続線の差込み端子を挿入する複数の差込穴を有し、各差込穴は対応する差込み端子のみ挿入可能な形状に形成されていることが好ましい。
【発明の効果】
【００１１】
本発明の電圧計によれば、継電器にかかる電圧の極性を極性判定手段により判定し、その判定信号に応じて音声出力手段による音声で極性を報知するので、作業者が極性を視覚で判断できない場合やその判断が困難な状況でも、聴覚で確認できる。これにより、人間の誤操作による事故を効果的に防止できる。
【００１２】
電圧計が極性判定手段からの信号に応じて発光する表示灯を備えた場合には、作業者は、暗い場所においても一目で極性を確認できる。また、極性判定手段からの信号に応じて振動する振動体を備えた場合には、継電器にかかる電圧の極性を触覚で確認できる。更に、複数の接続線の差込み端子を挿入する複数の差込穴が各々対応する差込み端子のみを挿入可能な形状にすることで、各差込み端子を確実に電圧計の対応する差込穴に挿入し接続することができる。
【発明を実施するための最良の形態】
【００１３】
図１は、実施例の電圧計を示す。この電圧計１は、箱状の本体２に電圧表示部３を有し、その中の指針４が目盛５の範囲内で回動するように構成されている。電源となる電池を収納した状態で電源スイッチ６をオンにし、プラス（＋）接続ケーブル７及びマイナス（−）接続ケーブル８の各一端を夫々対応するプラス差込穴９及びマイナス差込穴１０に挿入して、内部の回路に接続した各ケーブル７，８の他端を被測定箇所に当てると、指針４が目盛５中の被測定箇所間の電圧を示す位置に停止するので、測定箇所の電圧がわかる。
【００１４】
この電圧計１は、音声発生手段としてスピーカ１１を内蔵している。これは、後述の極性判定回路５０（図２）で極性を判定し、その極性が、例えばプラスの場合には「プラスです」等の音声を出力するものであり、これにより、電圧表示部３での目視による確認に加えて、音声で極性を確認できる。また、本体２の正面には、スピーカ１１から出た音声を外に出すためのスリット１２が設けてある。
【００１５】
更に、この電圧計１は、極性判定回路５０からの判定信号に応じて発光する表示灯として、２つの表示ランプ１３及び１４を備えている。左側の（−）極性表示ランプ１３は、極性判定回路５０で判定した極性がマイナスの場合に点灯し、右側の（＋）極性表示ランプ１４は、極性がプラスの場合に点灯する。これらのランプによる視認性を良くするため、例えば、マイナス極性表示ランプ１３は緑色発光ダイオード、プラス極性表示ランプ１４は赤色発光ダイオードで構成することが好ましい。
【００１６】
本体２の背面には、磁石板１５が固着されている。これにより、電圧計１を鉄製の筐体などに取り付けて使用すれば、作業者が保持する手間をなくすことができる。本体２の背面下部には、内部の電池収納部を覆う電池蓋１６が設けてある。
【００１７】
プラス（＋）接続ケーブル７は、その本体接続側の一端が、例えば直径6 mm の円形断面の導体からなる接続端子２０で形成され、その根元に絶縁体で形成された把持部２１を有する。他端の接続端子２２は、先端が円錐状に形成された導体からなり、その根元に絶縁体で形成された把持部２３を有する。このケーブル７の両端の接続端子２０及び２２は、被覆された導線コード２４により接続されている。
【００１８】
マイナス（−）接続ケーブル８は、その本体接続側の一端が、例えば一辺5 mm の正方形断面の導体からなる接続端子３０で形成され、その根元に絶縁体で形成された把持部３１を有する。他端の接続端子３２、その根元の把持部３３及び導線コード３４は、上記プラス（＋）接続ケーブル７の接続端子２２、把持部２３及び導線コード２４と同様に構成される。
【００１９】
プラス差込穴９及びマイナス差込穴１０は夫々、上記接続ケーブル７，８の各接続端子２０及び３０がぴったり挿入されるように設けられ、各穴９，１０に各接続端子２０，３０を差し込むことにより、プラス接続ケーブル７及びマイナス接続ケーブル８が電圧計１の内部回路と電気的に接続される。
【００２０】
この実施例では、プラス接続ケーブル７の接続端子２０は、断面形状がマイナス差込穴１０と異なるので、この接続端子２０をマイナス差込穴１０に挿入又は差し込むことができない。また、マイナスプラス接続ケーブル８の接続端子３０は、断面形状がプラス差込穴９と異なるので、この接続端子３０をプラス差込穴９に挿入又は差し込むことができない。このように、一の接続線の差込み端子が他の差込み端子と対応する差込穴には挿入できないように互いに排他的な形状に形成することにより、接続端子の接続間違いを防止できる。なお、接続端子や差込穴の形状、寸法は例示であり、互いに排他的であれば他の形状でもよい。
【００２１】
図２は、上記電圧計１の回路構成を示す図である。この回路は、前述のプラス差込穴９をプラス側の入力端子とし、マイナス差込穴１０をマイナス側の入力端子として構成され、極性判定回路５０、音信号生成回路７８及び電源回路７３を備えている。動作時には、極性判定回路５０から出力される判定信号を受けて音信号生成回路７８が音声信号を生成し、前述のスピーカ１１を駆動して音声を出力する。
【００２２】
電源回路７３は、前記電源スイッチ６及び本体２内に収納された電池を含み、極性判定回路５０及び音信号生成回路７８にそれぞれ所定の電圧を供給するように構成されている。
【００２３】
音信号生成回路７８は、例えば、入力信号に応じて所定の音声信号を生成する音声合成ＩＣ（集積回路素子）で構成される。
【００２４】
極性判定回路５０は、プラス差込穴９に接続した第１入力端子５１と、マイナス差込穴１０に接続した第２入力端子５２を有する。また、音信号生成回路７８に接続された第１、第２及び第３の出力端子５３、５４及び５７を有する。
【００２５】
極性判定回路５０の入力側、すなわち、プラス差込穴９に接続した第１入力端子５１とマイナス差込穴１０に接続した第２入力端子５２との間には、前述の電圧表示部３が接続されている。これにより、２つの入力端子５１と５２間の電圧及び極性を表示する。
【００２６】
極性判定回路５０の出力側では、第２出力端子５４と第３出力端子５７との間に、緑色発光ダイオードからなるマイナス極性表示ランプ１３が接続され、第１出力端子５３と第３出力端子５７との間には、赤色発光ダイオードからなるプラス極性表示ランプ１４と、電圧がかかると機械的に振動する振動体７６とが直列接続されている。
【００２７】
図３は、極性判定回路５０の構成を示す。
【００２８】
第１入力端子５１は、ヒューズ６７ａ、第１抵抗６８ａ、第１ダイオード６９ａ及び第２抵抗６８ｂを介して、第１比較器５８ａの＋側入力端に接続され、第１比較器５８ａの出力端は、第１ＡＮＤ回路５９ａの２つの入力端の一方に接続され、第１ＡＮＤ回路５９ａの出力端は、第１トランジスタ６０ａのベースに接続され、第１トランジスタ６０ａのコレクタが第１出力端子５３に接続されている。
【００２９】
この第１入力端子５１から第１出力端子５３に至る線路において、第１抵抗６８ａと第１ダイオード６９ａとの接続部に第２ダイオード６９ｂの一端（カソード側）が接続され、第２抵抗６８ｂと第１比較器５８ａの＋側入力端との接続部に、第３抵抗６８ｃの一端と第３ダイオード６９ｃの一端（アノード側）が接続され、第１比較器５８ａの出力端には、第４抵抗６８ｄを介して一定の電圧ＶCが印加され、第１ＡＮＤ回路５９ａの入力端の他方には、後述の第３ＡＮＤ回路５９ｃの出力が加えられる。なお、上記第２ダイオード６９ｂの他端（アノード側）、第３抵抗６８ｃの他端、第１比較器５８ａの−側入力端、及び第１トランジスタ６０ａのエミッタは、それぞれアース（基準電位）に接続されている。
【００３０】
一方、第２入力端子５２は、ヒューズ６７ｂ、第５抵抗６８ｅ、第４ダイオード６９ｄ及び第６抵抗６８ｆを介して、第２比較器５８ｂの＋側入力端に接続され、第２比較器５８ｂの出力端は、第２ＡＮＤ回路５９ｂの２つの入力端の一方に接続され、第２ＡＮＤ回路５９ｂの出力端は、第２トランジスタ６０ｂのベースに接続され、第２トランジスタ６０ｂのコレクタが第２出力端子５４に接続されている。
【００３１】
この第２入力端子５２から第２出力端子５４に至る線路において、第５抵抗６８ｅと第４ダイオード６９ｄとの接続部に第５ダイオード６９ｅの一端（カソード側）が接続され、第６抵抗６８ｆと第２比較器５８ｂの−側入力端との接続部に、第７抵抗６８ｇの一端と第６ダイオード６９ｆの一端（アノード側）が接続され、第２比較器５８ｂの出力端には、第８抵抗６８ｈを介して一定の電圧ＶCが印加され、第２ＡＮＤ回路５９ｂの入力端の他方には、後述の第３ＡＮＤ回路５９ｃの出力が加えられる。なお、上記第５ダイオード６９ｅの他端（アノード側）、第７抵抗６８ｇの他端、第２比較器５８ｂの−側入力端、及び第２トランジスタ６０ｂのエミッタは、それぞれアース（基準電位）に接続されている。
【００３２】
上記第３ダイオード６９ｃの他端（カソード側）と、第６ダイオード６９ｆの他端（カソード側）は、それぞれ第３比較器５８ｃの＋側入力端と第４比較器５８ｄの−側入力端に接続され、第３比較器５８ｃの−側入力端には、下限電圧を設定するための電圧設定器５５が接続され、第４比較器５８ｄの＋側入力端には、上限電圧を設定するための電圧設定器５６が接続されている。
【００３３】
更に、第３比較器５８ｃの出力端は、第３ＡＮＤ回路５９ｃの２つの入力端の一方に、第４比較器５８ｄの出力端は、第３ＡＮＤ回路５９ｃの２つの入力端の他方にそれぞれ接続され、第３ＡＮＤ回路５９ｃの出力端は、上記第１ＡＮＤ回路５９ａの入力端の他方と第２ＡＮＤ回路５９ｂの入力端の他方に接続されている。第３比較器５８ｃ及び第４比較器５８ｄの各々の出力端には、それぞれ第９抵抗６８ｉ、第１０抵抗６８ｊを介して一定の電圧ＶCが印加される。
【００３４】
第３出力端子５７は、アース（基準電位）に接続されている。
【００３５】
以下、第１入力端子５１の入力電圧をＶｉｎ(+)、第２入力端子５２の入力電圧をＶｉｎ(-)で表す。また、第１出力端子５３の出力電圧をＶｏｕｔ(+)、第２出力端子５４の出力電圧をＶｏｕｔ(-)で表す。第３出力端子５７は基準電位である。更に、電圧設定器５５及び５６により設定される下限電圧及び上限電圧を、それぞれＶＬ、ＶＨで表す。
【００３６】
図３の回路において、第１入力端子５１に正の入力電圧Ｖｉｎ(+)がかかると、第１比較器５８ａの＋入力端にＶｉｎ(+)と同程度の電圧Ｖaが入力されるので、第１比較器５８ａは定電圧ＶCより低い電圧Ｖaoを出力し、この電圧Ｖaoは、第１ＡＮＤ回路５９ａの入力端の一方に入力される。同時に、入力電圧Ｖaは、第３ダイオード６９ｃを介して、第３比較器５８ｃの＋側入力端と第４比較器５８ｄの−側入力端に入力される。
【００３７】
このとき、Ｖa＜ＶＬであれば、第３比較器５８ｃが出力しないので、第３ＡＮＤ回路５９ｃは出力せず、第１ＡＮＤ回路５９ａも出力しない。従って、第１トランジスタ６０ａはオフであり、第１出力端子５３の出力電圧Ｖｏｕｔ(+)は、第１トランジスタ６０ａのコレクタ電位のままである。
【００３８】
また、Ｖa＞ＶＨのときにも、第４比較器５８ｄが出力しないので、第３ＡＮＤ回路５９ｃは出力せず、第１ＡＮＤ回路５９ａも出力しない。従って、第１トランジスタ６０ａはオフであり、第１出力端子５３の出力電圧Ｖｏｕｔ(+)は、第１トランジスタ６０ａのコレクタ電位のままである。
【００３９】
これに対し、ＶＬ＜Ｖa＜ＶＨであれば、第３比較器５８ｃは電圧ＶLoを出力し、第４比較器５８ｄは電圧ＶHoを出力する。従って、第３ＡＮＤ回路５９ｃが所定の電圧を出力し、その出力電圧が第１ＡＮＤ回路５９ａの入力端の一方に入力されるので、第１ＡＮＤ回路５９ａも出力し、第１トランジスタ６０ａをオンにする。このため、第１出力端子５３の出力電圧Ｖｏｕｔ(+)は、第１トランジスタ６０ａのコレクタ電位からアース（基準電位）に変化する。
【００４０】
従って、第１入力端子５１の入力電圧Ｖｉｎ(+)が所定の範囲内にある場合のみ、第１出力端子５３の出力電圧Ｖｏｕｔ(+)が変化するので、この出力変化をプラスの極性判定信号とする。
【００４１】
一方、第２入力端子５２に正の入力電圧Ｖｉｎ(-)がかかると、第２比較器５８ｂの＋入力端にＶｉｎ(-)と同程度の電圧Ｖbが入力されるので、第２比較器５８ｂは定電圧ＶCより低い電圧Ｖboを出力し、この電圧Ｖboは、第２ＡＮＤ回路５９ｂの入力端の一方に入力される。同時に、入力電圧Ｖbは、第６ダイオード６９ｆを介して、第３比較器５８ｃの＋側入力端及び第４比較器５８ｄの−側入力端に入力される。
【００４２】
このとき、第１入力端子５１の場合と同様に、Ｖb＜ＶＬ或いはＶb＞ＶＨであれば、第２トランジスタ６０ｂはオフであるから、第２出力端子５４の出力電圧Ｖｏｕｔ(-)は、第２トランジスタ６０ｂのコレクタ電位となり、ＶＬ＜Ｖb＜ＶＨであれば、第２トランジスタ６０ｂがオンになるので、第２出力端子５４の出力電圧Ｖｏｕｔ(-)は、第２トランジスタ６０ｂのコレクタ電位からアース（基準電位）に変化する。
【００４３】
従って、第２入力端子５２の入力電圧Ｖｉｎ(-)が所定の範囲内にある場合のみ、第２出力端子５４の出力電圧Ｖｏｕｔ(-)が変化するので、この出力変化をマイナスの極性判定信号とする。
【００４４】
以上により、極性判定回路５０からプラス判定信号が出力される条件は、Ｖｉｎ(+)が正で、Ｖｉｎ(+)がＶＬとＶＨの間の値であること、すなわち、Ｖｉｎ(+)＞０かつＶｉｎ(-)＜０であって、
ＶＬ＜Ｖｉｎ(+)＜ＶＨ    ・・・（１）
である。
【００４５】
また、第２出力端子５４からマイナス判定信号が出力される条件は、Ｖｉｎ(-)が正で、Ｖｉｎ(-)がＶＬとＶＨの間の値であること、すなわち、Ｖｉｎ(+)＜０，Ｖｉｎ(-)＞０であって、
ＶＬ＜Ｖｉｎ(-)＜ＶＨ    ・・・（２）
である。
【００４６】
上記のように、極性判定回路５０がプラス判定信号としてＶｏｕｔ(+)を出力するときは、赤色発光ダイオードからなるプラス極性表示ランプ１４が点灯し、振動体７６が振動する。また、音声合成装置７８が「プラスです」という音声を生成し、これをスピーカ１１から出力する。また、極性判定回路５０がマイナス判定信号としてＶｏｕｔ(-)を出力するときは、緑色発光ダイオードからなるマイナス極性表示ランプ１３が点灯すると共に、音声合成装置７８が「マイナスです」という音声を生成し、これをスピーカ１１から出力する。
【００４７】
最後に図４を参照して、実施例の電圧計を使用して測定する方法について説明する。
【００４８】
送電線４０は、電源４１から送られる電力を需要地域４２へ供給する送電線路である。事故時に事故箇所を健全箇所から切り離す遮断器４３，４４が設けられている。
【００４９】
ここで、例えば地点４５に落雷事故があった場合を考える。この場合、送電線４０に過電流が流れるため、送電線４０に備えられた変流器４６に通常以上の電流が流れる。これを保護継電器４７が検知し、その接点部４８を通じて遮断信号を発して遮断器４３を作動させる。これにより、遮断器４３の一次側（電源側）と二次側の送電線が切り離され、電源側の機器が保護される。
【００５０】
この保護継電器４７の性能を維持するために定期的に点検する必要があり、点検作業は保護継電器４７を回路から切離して行う。この時、手動で接点部４８を開放状態に設定（ロック）してから作業を行う。
【００５１】
保護継電器４７の点検作業終了後、通常運転を再開する際には、保護継電器４７を回路に接続して、接点部４８のロックを解除する。接続部４８のロックを解除するためには、保護継電器４７が遮断信号を発しない状態であることを確認する必要がある。なぜなら、保護継電器４７が遮断信号を発する状態で接点部４８のロックを解除すると、遮断器４３が再度遮断され、その原因として保護継電器４７の回路の誤結線か素子の故障が考えられるからである。そこで確認のため、上記電圧計１により開放状態の接点部４８にかかる電圧を測定する。
【００５２】
事故から復旧後、通常運転を再開する際には、接点部４８のロックを解除するが、その前に、保護継電器４７が遮断信号を発しない状態であることを確認する必要がある。なぜなら、保護継電器４７が遮断信号を発する状態で接点部４８のロックを解除すると、遮断器４３が再度遮断され、大規模な停電等の二次被害を引き起こす場合があるからである。そこで、確認のため、上記電圧計１により、開放状態の接点部４８にかかる電圧を測定する。
【００５３】
具体的には、電圧計１のマイナス差込穴１０に接続したマイナス接続ケーブル８の接続端子３２をアース端子８０に接続する一方、電圧計１のプラス差込穴９に接続したプラス接続ケーブル７の接続端子２２を保護継電器側の接点端子４８ａに接続する。この時、接点端子４８ａに所定値以上のプラス電圧がかかっていると、極性判定回路５０の第１入力端子５１に正の電圧Ｖｉｎ(+)が入力されるので、前述のように、第１出力端子５３からプラス判定信号Ｖｏｕｔ(+)が出力される。これにより、プラス極性表示ランプ１４は赤色発光し、接続端子２２及び接続端子３２が振動すると共に、音信号生成回路７８が音声信号を生成し、スピーカ１１から「プラスです」という音声が出る。これにより、作業者は、接点部４８に所定値以上の電圧がかかっていて保護継電器４７が遮断信号を発する状態にあることを認識できる。
【００５４】
また、図示の実施例では、作業者が測定箇所を取り違えて測定した場合であっても、保護継電器４７が遮断信号を発する状態にあることを確認することができる。すなわち、電圧計１のプラス差込穴９に接続したプラス接続ケーブル７の接続端子２２をアース端子８０に接続する一方、電圧計１のマイナス接続ケーブル８の接続端子３２を保護継電器側の接点端子４８ａに接続した場合、接点端子４８ａに所定値以上のプラス電圧がかかっていると、極性判定回路５０の第２入力端子５２に正の電圧Ｖｉｎ(-)が入力されるので、前述のように、第２出力端子５４からマイナス判定信号Ｖｏｕｔ(-)が出力される。これにより、マイナス極性表示ランプ１３は緑色発光し、音信号生成回路７８が音声信号を生成し、スピーカ１１から「マイナスです」という音声が出る。これにより、作業者は、測定箇所を取り違えて測定したことを知ると同時に、接点部４８に所定値以上の電圧がかかっていて保護継電器４７が遮断信号を発する状態にあることを認識できる。
【００５５】
なお、式（１）及び（２）のどちらの条件にも該当しない場合は、電圧表示部３の指針４が目盛５のどの部分を指しているかを確認することで、状況を判断する。
【００５６】
以上の音声、発光及び振動により、人間の誤操作による事故を防止できる。また、離れた場所からでも極性を確認できる。
【図面の簡単な説明】
【００５７】
【図１】実施例の電圧計を示す斜視図。
【図２】実施例の回路構成を示すブロック図。
【図３】実施例の極性判定回路の構成を示す回路図。
【図４】電圧計の使用態様を示す図。
【符号の説明】
【００５８】
１…電圧計、２…本体、３…電圧表示部、４…指針、５…目盛、６…電源スイッチ、７…プラス接続ケーブル、８…マイナス接続ケーブル、９…プラス差込穴、１０…マイナス差込穴、１１…スピーカ、１２…スリット、１３，１４…極性表示ランプ、１５…磁石板、１６…電池蓋、２０，２２…接続端子、２１，２３…把持部、２４…導線コード、３０，３２…接続端子、３１，３３…把持部、３４…導線コード、４０…送電線、４１…電源、４２…需要地域、４３，４４…遮断器、４５…事故地点、４８…接点部、４８ａ…接点端子、５０…極性判定回路、５１…第１入力端子、５２…第２入力端子、５３…第１出力端子、５４…第２出力端子、５５，５６…電圧設定器、５７…第３出力端子、７３…電源回路、７８…音信号生成回路、８０…アース端子。
【図１】
2007147425.tif 000003
【図２】
2007147425.tif 000004
【図３】
2007147425.tif 000005
【図４】
2007147425.tif 000006